(57)【要約】【課題】別途に緩み止め用の止めねじを用いずにアジャストボルトとアジャストパイプの緩み止めを簡単且つ確実にするパネルサポートを提供する。【解決手段】パネルサポートＳのアジャストボルト１１・１４は、パネルを受ける金属製のサポートプレート１３又は床面に固定する金属製のサポートローズ１０（固定部材）に対してインサート成型により樹脂で一体に成形し、中心に自由端側に向けて開口する肉抜き穴１９を設けて円筒状に立設し、円筒部２０・２５は、対称な周面部位に雄ねじｍ・ｎを螺設した肉厚な一対の拡径部分２０ａ・２５ａを形成する一方、それら拡径部分間の対称な周面部位に雄ねじを螺設しないで薄肉凹状になった一対の縮径部分２０ｂ・２５ｂを形成する。【選択図】          図１
0003139406.tif 000002
【実用新案登録請求の範囲】
【請求項１】
内周面に雌ねじを切った金属製アジャストパイプにアジャストボルトを螺合させて連結し、その螺合位置を変えることで、パネルを、床面との間に開ける隙間を調整して所定高さ位置に支持するパネルサポートであって、
前記アジャストボルトは、前記パネルを受ける金属製の受け部材又は前記床面に固定する金属製の固定部材に対してインサート成型により樹脂で一体に成形し、中心に自由端側に向けて開口する肉抜き穴を設けて円筒状に立設し、該円筒部は、対称な周面部位に雄ねじを螺設した肉厚な一対の拡径部分を形成する一方、それら拡径部分間の対称な周面部位に雄ねじを螺設しないで薄肉凹状になった一対の縮径部分を形成してなることを特徴とする、パネルサポート。
【請求項２】
前記受け部材又は前記固定部材は、インサート樹脂成形時に前記アジャストボルトの基部が嵌り込む中心の取付穴を異形な回り止め穴で形成してなることを特徴とする、請求項１に記載のパネルサポート。
【考案の詳細な説明】
【技術分野】
【０００１】
本考案は、トイレブースやオフィス等において、ドア取付用のパネルや間仕切り用のパネルなどを支持するのに好適なパネルサポートに関する。
【背景技術】
【０００２】
トイレブースでは、一般に、トイレ用ドアを取り付ける支持パネルや、間仕切りに使用する仕切りパネルを、下からパネルサポートで受け止めて支持し、しかも、床面との間に開ける隙間を調整して所定高さ位置に支えている。
【０００３】
そのため、従来のパネルサポートは、例えば図１０および図１１に示すように、床面１に固定する固定部材２に基部３ａをカシメてアジャストボルト３を立設した固定手段ａと、内周面に雌ねじ４を切ったアジャストパイプｂと、パネル５を受ける受け部材６に基部７ａをカシメてアジャストボルト７を立設した取付手段ｃとを備え、アジャストパイプｂの上下両端にアジャストボルト７・３を螺合させて固定手段ａと取付手段ｃとを連結し、アジャストパイプｂを回転させると螺合位置を変えることができ、その螺合位置を変えることで、受け部材６上に載せて取り付けるパネル５を、床面１との間に開ける隙間ｄの高さを調整して支持する構造になっている。
【０００４】
しかも、従来のパネルサポートは、ドアの開閉等によって衝撃や振動を繰り返し受けることにより、経時、アジャストボルト３・７とアジャストパイプｂの捩じ込みに緩みが発生しないように、アジャストパイプｂを回して隙間ｄの高さを調整した後、アジャストパイプｂの外周にあけた緩み止め用のねじ穴８に、例えば芋ネジ型の止めねじ９を捩じ込んでアジャストパイプｂの回転をロックする構造にしている。
【特許文献１】登録実用新案第３００８３８３号公報
【考案の開示】
【考案が解決しようとする課題】
【０００５】
ところが、従来のパネルサポートでは、アジャストパイプｂを回して隙間ｄの高さを調整し終えた時点で、緩み止め用のねじ穴８の位置が作業者の真向かいになくズレることが多く、これでは、ねじ穴８に止めねじ９を捩じ込み難く手間がかかり、また、ねじ穴８の位置がズレなく真向かいになっても、止めねじ９は小粒なために取り扱い難く、そのため、捩じ込み作業が大変で、場合によっては、作業中に紛失してしまうことがあるという課題があった。
【０００６】
そこで、本考案の目的は、別途に緩み止め用の止めねじを用いずに、アジャストボルトとアジャストパイプの緩み止めを簡単且つ確実にするパネルサポートを提供することにある。
【課題を解決するための手段】
【０００７】
そのため、請求項１に記載の考案は、たとえば以下に示す図示実施の形態のとおり、内周面に雌ねじ１２ａを切った金属製アジャストパイプ１２にアジャストボルト１１・１４を螺合させて連結し、その螺合位置を変えることで、パネルＰを、床面Ｆとの間に開ける隙間ｄを調整して所定高さ位置に支持するパネルサポートＳであって、前記アジャストボルト１１・１４は、前記パネルＰを受けるサポートプレート１３のような金属製の受け部材又はサポートローズ１０のような前記床面Ｆに固定する金属製の固定部材に対してインサート成型により樹脂で一体に成形し、中心に自由端側に向けて開口する肉抜き穴１９・２４を設けて円筒状に立設し、該円筒部２０・２５は、対称な周面部位に雄ねじｍ・ｎを螺設した肉厚な一対の拡径部分２０ａ・２５ａを形成する一方、それら拡径部分２０ａ・２５ａ間の対称な周面部位に雄ねじを螺設しないで薄肉凹状になった一対の縮径部分２０ｂ・２５ｂを形成してなることを特徴とする。
【０００８】
請求項２に記載の考案は、請求項１に記載のパネルサポートＳにおいて、たとえば以下に示す図示実施の形態のとおり、前記受け部材又は前記固定部材は、インサート樹脂成形時に前記アジャストボルト１１・１４の基部１１ａ・１４ａが嵌り込む中心の取付穴１５・１６を異形な回り止め穴で形成してなることを特徴とする。
【考案の効果】
【０００９】
請求項１に記載の考案において、アジャストボルトは、パネルを受ける金属製の受け部材又は床面に固定する金属製の固定部材に対してインサート成型により樹脂で一体に成形し、中心に自由端側に向けて開口する肉抜き穴を設けて円筒状に立設し、その円筒部には、対称な周面部位に、雄ねじを螺設してねじ山の高さ分だけ肉厚な一対の拡径部分を形成する一方、それら拡径部分間の対称な周面部位に、雄ねじを螺設しないでねじ山のない分だけ薄肉凹状になった一対の縮径部分を形成し、そのため、円筒部の拡径部分と縮径部分とで周方向に肉厚が異なるので、インサート成形の直後から樹脂が冷える過程で収縮の度合いに差を生じ、この収縮の度合いの差に基づいて冷えの遅い拡径部分で雄ねじが変形し、雄ねじにねじピッチが歪で均等でない部分を含んだ緩み止め形状に成形されてなる。従って、本考案のパネルサポートでは、アジャストパイプの雌ねじと、ねじピッチが一部不揃いの樹脂製アジャストボルトの雄ねじとが螺合してねじ締結状態になるため、経時、これを緩める衝撃や振動などの外力を繰り返し受けることがあっても、樹脂製アジャストボルトの雄ねじ側が有する弾性反発力によってアジャストパイプ側の雌ねじとの間に強い摩擦接合力を発生し、この摩擦接合力によってねじ締結状態が緩まないように確実にロックすることができる。よって、請求項１に記載の考案によれば、（１）わざわざ別途に緩み止め用の止めねじを用いずとも、アジャストボルトとアジャストパイプを経時に緩むことなく確実に締結することができ、そのため、従来のように止めねじを紛失するなどの問題がなく、アジャストボルトとアジャストパイプの緩みを手間なく簡単に且つ確実に防止することができる。しかも、（２）アジャストボルトが円筒部を雄ねじの螺設した拡径部分とそうでない縮径部分との対称な形状であるため、アジャストボルトを金属製の受け部材又は固定部材と樹脂で一体にインサート成形後は、型を逆向きに２つ割りするだけで、手間なく簡単に且つ迅速に離型することができる。加えて、請求項１に記載の考案では、（３）パネルサポートのアジャストボルトを、昨今、価格の高騰している金属製ではなく、廉価な樹脂で成形して緩み止め形状を実現し、それだけコストを低減させることができる。
【００１０】
請求項２に記載の考案によれば、インサート樹脂成形時、アジャストボルトは、基部が受け部材又は固定部材の回り止めの取付穴に嵌り込んで一体化し、回り止めロック状態で成形されるため、経時、衝撃や振動など、アジャストボルトを回転させて捩じ込みを緩めようとする外力を受けても、アジャストボルトが受け部材又は固定部材に対して回転して外れないように確実にロックしてねじの緩み止め効果を助長することができる。
【考案を実施するための最良の形態】
【００１１】
以下、図面を参照しつつ、本考案の最良の実施形態について詳細に説明する。
【００１２】
図９は、本考案の一例であるパネルサポートを適用したトイレブース内のトイレ用ドアパネル構造体を示す。ドアパネル構造体は、複数の支持パネルＰ‥を面一に配設して上方の笠木Ｒで一体に連結すると共に、各支持パネルＰを、それぞれ本考案のパネルサポートＳで床面Ｆとの間の隙間ｄを調整して所定の取付高さ位置に支持し、その中で片側の支持パネルＰにドアパネルＤを回動自在に取り付けて支持する構造になっている。
【００１３】
本考案のパネルサポートＳは、図１に示すように、床面Ｆに固定する固定部材のサポートローズ１０に、基部１１ａを連結してねじ具のアジャストボルト１１を立設した固定手段Ａと、内周面に雌ねじ１２ａを切った締結具のアジャストパイプ１２と、支持パネルＰを受ける受け部材のサポートプレート１３に、基部１４ａを連結してねじ具のアジャストボルト１４を立設した取付手段Ｂとを備えてなる。
【００１４】
固定手段Ａにおいて、サポートローズ１０は、金属製、例えばステンレス鋼で円盤状につくり、中心にアジャストボルト１１の基部１１ａが嵌り込む取付穴１５を設ける一方、周縁部１０ａを下向きに屈曲させて逆皿形状に形付けてなる。取付穴１５は、真円の穴ではなく、異形な回り止め穴、例えば図２に示すような六角穴で形成してなる。
【００１５】
そこで、固定手段Ａは、図３でも示すように、サポートローズ１０に対してインサート成型により樹脂でアジャストボルト１１を一体に成形する。そして、アジャストボルト１１は、中心に自由端側に向けて開口する肉抜き穴１９を設けて円筒状に立設し、該円筒部２０には、対称な周面部位に、雄ねじｍを螺設してねじ山の高さ分だけ肉厚な一対の拡径部分２０ａを形成する一方、それら拡径部分２０ａ間の対称な周面部位に、雄ねじを螺設しないでねじ山のない分だけ薄肉凹状になった一対の縮径部分２０ｂを形成した緩み止め形状に成形する。
【００１６】
即ち、本考案では、アジャストボルト１１は、円筒部２０の拡径部分２０ａと縮径部分２０ｂとで周方向に肉厚が異なるので、インサート成形の直後から樹脂が冷える過程で収縮の度合いに差を生じ、この収縮の度合いの差に基づいて冷えの遅い拡径部分２０ａで雄ねじｍが変形し、雄ねじｍに、ねじピッチが歪で均等でない部分を含んだ緩み止め形状に成形されてなる。加えて、固定手段Ａでは、インサート樹脂成形時に、アジャストボルト１１は、基部１１ａがサポートローズ１０の六角の取付穴１５に嵌り込んで一体化し、回り止めロック状態で成形されてなる。なお、本考案において、固定手段Ａは、アジャストボルト１１が円筒部２０を雄ねじｍの螺設した拡径部分２０ａとそうでない凹状の縮径部分２０ｂとの対称な形状であるため、アジャストボルト１１を金属製のサポートローズ１０と樹脂で一体にインサート成形後は、型を逆向きに２つ割りするだけで、手間なく簡単に且つ迅速に離型することができる。
【００１７】
取付手段Ｂにおいて、サポートプレート１３は、支持パネルＰの厚さに対応させて、幅サイズの細長な金属板、例えばステンレス鋼板からなり、図１に示すように、長さ方向中間にアジャストボルト１４の基部１４ａが嵌り込む取付穴１６を設けてなる。取付穴１６は、板厚方向片面側を、異形な回り止め穴の、例えば図４に示す六角穴に穿設し、支持パネルＰを受ける他面側を丸穴に穿設して２段に形成している。
【００１８】
そこで、取付手段Ｂでも、図５でも示すように、サポートプレート１３に対してインサート成型により樹脂でアジャストボルト１４を一体に成形する。そして、アジャストボルト１４は、中心に自由端側に向けて開口する肉抜き穴２４を設けて円筒状に立設し、その円筒部２５には、対称な周面部位に、雄ねじｎを螺設してねじ山の高さ分だけ厚肉な一対の拡径部分２５ａを形成する一方、それら拡径部分２５ａ間の対称な周面部位に、雄ねじを螺設しないでねじ山のない分だけ薄肉凹状になった一対の縮径部分２５ｂを形成した形状に成形する。
【００１９】
即ち、取付手段Ｂでも、アジャストボルト１４は、円筒部２５の拡径部分２５ａと縮径部分２５ｂとで周方向に肉厚が異なるので、インサート成形の直後から樹脂が冷える過程で収縮の度合いに差を生じ、その収縮の度合いの違いに基づいて冷えの遅い拡径部分２５ａで雄ねじｎが変形し、雄ねじｎに、ねじピッチが歪で均等でない部分を含んだ緩み止め形状に成形されてなる。加えて、取付手段Ｂでは、インサート樹脂成形時に、アジャストボルト１４は、基部１４ａがサポートプレート１３の六角取付穴１６に嵌り込んで一体化し、回り止めロック状態で成形されてなる。なお、本考案において、取付手段Ｂも、アジャストボルト１４が円筒部２５を雄ねじｎの螺設した拡径部分２５ａとそうでない凹状の縮径部分２５ｂとの対称な形状であるため、アジャストボルト１４を金属製のサポートプレート１３と樹脂で一体にインサート成形後は、型を逆向きに２つ割りするだけで、手間なく簡単に且つ迅速に離型することができる。
【００２０】
他方、アジャストパイプ１２は、金属製で、図示例ではアルミニウムで管状につくり、図１に示すように、内周面の雌ねじ１２ａは、長さ方向片側のねじ部を、アジャストボルト１１の拡径部分２０ａにおける雄ねじｍのねじ方向に合わせて、例えば左ねじで形成する一方、他側のねじ部を、アジャストボルト１４の拡径部分２５ａにおける雄ねじｎのねじ方向に合わせて、例えば右ねじで形成している。
【００２１】
そこで、以上の部品構成のパネルサポートＳは、アジャストパイプ１２の雌ねじ１２ａの片側にアジャストボルト１１の雄ねじｍを螺合させる一方、他側にアジャストボルト１４の雄ねじｎを螺合させて、締結具のアジャストパイプ１２で固定手段Ａと取付手段Ｂを連結して組み立ててなる。そして、アジャストパイプ１２の螺合位置を変えることで、固定手段Ａと取付手段Ｂを伸縮させて高さ調整可能に連結してなる。
【００２２】
さて、以上のような構成のパネルサポートＳで支えて支持パネルＰを立設するときは、取付手段Ｂのサポートプレート１３を支持パネルＰの下端面にねじ止めし、支持パネルＰにパネルサポートＳを組み付ける。しかる後、支持パネルＰを持ち上げて、パネル上端を笠木Ｒに組み付けて吊持する。それから、固定状態の取付手段Ｂに対してアジャストパイプ１２又は固定手段Ａを適宜に回転させながら、パネルサポートＳの長さを床面Ｆとの隙間ｄに合わせて調節し、サポートローズ１０を床面Ｆに押し当ててから、図６および図７に示すように床面Ｆにねじ止めし、パネルサポートＳで支持パネルＰを下から受けて支持する。この場合、支持パネルＰの取付高さ位置が正確でない場合は、アジャストパイプ１２又は固定手段Ａを回転し、図８に示すように、パネルサポートＳを上下に伸縮させて、支持パネルＰと床面Ｆとの隙間高さｄ１・ｄ２を調整し、支持パネルＰを所定の取付高さ位置に位置決めして支持する。
【００２３】
ところで、上記トイレブースのドアパネル構造体において、パネルサポートＳには、ドアパネルＤの開閉等によって繰り返し衝撃や振動など、アジャストボルト１１・１４とアジャストパイプ１２の捩じ込みを緩めようとする外力を受ける。しかし、本考案のパネルサポートＳでは、経時、そのような外力を受けることがあっても、アジャストパイプ１２の雌ねじ１２ａと、ねじピッチが一部不揃いの樹脂製アジャストボルト１１・１４の雄ねじｍ・ｎとが螺合したねじ締結状態にあるため、樹脂製アジャストボルト１１・１４の雄ねじｍ・ｎ側が有する弾性反発力によってアジャストパイプ１２側の雌ねじ１２ａとの間に強い摩擦接合力が発生し、この摩擦接合力によってねじ締結状態が緩まないように確実にロックすることができる。
【００２４】
加えて、図示パネルサポートＳにおいて、アジャストボルト１１・１４は、基部１１ａ・１４ａがそれぞれサポートローズ１０とサポートプレート１３の六角取付穴１５・１６に嵌り込んで回り止め状態で一体成形されるため、経時、衝撃や振動など、アジャストボルト１１・１４を回転させて捩じ込みを緩めようとする外力を受けても、アジャストボルト１１・１４がサポートローズ１０およびサポートプレート１３に対して回転して外れないように確実にロックしてねじの緩み止め効果をより助長することができる。
【００２５】
なお、図示例のパネルサポートＳは、アジャストパイプ１２の上下両端側にそれぞれ取付手段Ｂのアジャストボルト１４と固定手段Ａのアジャストボルト１１を螺合して伸縮可能に連結した構造であったが、本考案は、それに限らず、固定手段側にアジャストパイプを立設し、そのパイプ上端側に取付手段側のアジャストボルトを螺合させて伸縮可能に連結した構造のものであってもよいし、また、取付手段側にアジャストパイプを立設し、そのパイプ下端側に固定手段側のアジャストボルトを螺合させて、同じく伸縮可能に連結した構造のものであってもよい。
【図面の簡単な説明】
【００２６】
【図１】本考案の一例であるパネルサポートの分解斜視図である。
【図２】固定部材のサポートローズを示す平面図である。
【図３】固定手段を一部断面で示す正面図である。
【図４】受け部材のサポートプレートを示す平面図である。
【図５】取付手段を一部断面で示す正面図である。
【図６】パネルサポートを取付状態において示す縦断面図である。
【図７】パネルサポートを取付状態において一部断面で示す側面図である。
【図８】（Ａ）・（Ｂ）はパネルサポートを床面との隙間高さの調整状態において示す縦断面図である。
【図９】本考案の一例であるパネルサポートを適用したトイレブース内のドアパネル構造体を示す斜視図である。
【図１０】従来のパネルサポートの分解斜視図である。
【図１１】従来のパネルサポートを取付状態において一部断面で示す側面図である。
【符号の説明】
【００２７】
Ａ              固定手段
Ｂ              取付手段
Ｄ              ドアパネル
Ｆ              床面
Ｐ              支持パネル
Ｓ              パネルサポート
ｄ              隙間
ｍ・ｎ          雄ねじ
１０            サポートローズ（固定部材）
１２            アジャストパイプ
１２ａ          雌ねじ
１１・１４      アジャストボルト
１３            サポートプレート
１５・１６      取付穴
２０・２５      円筒部
２０ａ・２５ａ  拡径部分
２０ｂ・２５ｂ  縮径部分
【図１】
0003139406.tif 000003
【図２】
0003139406.tif 000004
【図３】
0003139406.tif 000005
【図４】
0003139406.tif 000006
【図５】
0003139406.tif 000007
【図６】
0003139406.tif 000008
【図７】
0003139406.tif 000009
【図８】
0003139406.tif 000010
【図９】
0003139406.tif 000011
【図１０】
0003139406.tif 000012
【図１１】
0003139406.tif 000013